(57)【要約】【課題】下縁側の前後方向の振動を抑制して騒音の発生を未然に防止することのできるリヤアンダーミラーを提供する。【解決手段】ハウジング１３とともに反射鏡１２を保持するベースプレート１４に上部壁１６と下方延出壁１７を設ける。上部壁１６はボルト１８によってドアインナパネル２Ａに固定する。下方延出壁１７にはゴム状の弾性部材からなるスペーサ２１を取り付け、スペーサ２１をリヤウィンドウガラス６の前面に圧接状態で当接させる。反射鏡１２は、略上下方向が凹面で略水平方向が凸面の凹凸面鏡によって構成する。【選択図】図５
2011230631.tif 000002
【特許請求の範囲】
【請求項１】
車体後部のリヤウィンドウガラスの前面に臨む位置に設置されて、車室内の乗員に向けて車両の後部下方を映すリヤアンダーミラーにおいて、
反射鏡と、この反射鏡を保持するリテーナと、を備え、
前記リテーナに、
前記リヤウィンドウガラスの上縁の車体ルーフ側の部材に固定される固定部と、
前記リヤウィンドウガラスの前面に当接する姿勢支持部と、
が設けられていることを特徴とするリヤアンダーミラー。
【請求項２】
前記反射鏡は、略上下方向が凹面で略水平方向が凸面である凹凸面鏡によって構成されていることを特徴とする請求項１に記載のリヤアンダーミラー。
【請求項３】
前記反射鏡の凹面側の曲率半径は、当該反射鏡の上部側領域に比較して下部側領域が小さく設定されていることを特徴とする請求項２に記載のリヤアンダーミラー。
【請求項４】
前記反射鏡の凸面側の曲率半径は、当該反射鏡の上部側領域に比較して下部側領域が大きく設定されていることを特徴とする請求項２または３に記載のリヤアンダーミラー。
【請求項５】
前記姿勢支持部は、前記固定部での前記車体ルーフ側の部材に対する前記リテーナの固定力によって前記リヤウィンドウガラスの前面に圧接されていることを特徴とする請求項１〜４のいずれか１項に記載のリヤアンダーミラー。
【請求項６】
前記姿勢支持部は、弾性を有する軟質部材によって構成されていることを特徴とする請求項１〜５のいずれか１項に記載のリヤアンダーミラー。
【発明の詳細な説明】
【技術分野】
【０００１】
この発明は、車両のリヤウィンドウガラスの前方側に設置されて車体の後部下方を映すリヤアンダーミラーに関するものである。
【背景技術】
【０００２】
車両のリヤアンダーミラーとして、凸面鏡等から成る反射鏡がリテーナに支持され、そのリテーナがリヤウィンドウガラスの上縁のバックドアのドアインナパネル等にボルト締結されるものが知られている（例えば、特許文献１参照）。
【先行技術文献】
【特許文献】
【０００３】
【特許文献１】特開２００９−０２９１７８号公報
【発明の概要】
【発明が解決しようとする課題】
【０００４】
しかし、この従来のリヤアンダーミラーは、リテーナの上端部のみでバックドアに固定されているため、車体の走行振動等によって下端側が前後に振れ易く、特に、リテーナの固定部から反射鏡の下辺までの離間距離が大きい場合には、下端側の前後の触れが大きくなり、リヤウィンドウガラスと干渉する可能性が懸念される。
【０００５】
そこでこの発明は、下縁側の前後方向の振動を抑制して騒音の発生を未然に防止することのできるリヤアンダーミラーを提供しようとするものである。
【課題を解決するための手段】
【０００６】
この発明に係るリヤアンダーミラーでは、上記課題を解決するために以下の手段を採用した。
請求項１に係る発明は、車体後部のリヤウィンドウガラス（例えば、実施形態のリヤウィンドウガラス６）の前面に臨む位置に設置されて、車室内の乗員に向けて車両の後部下方を映すリヤアンダーミラーにおいて、反射鏡（例えば、実施形態の反射鏡１２）と、この反射鏡を保持するリテーナ（例えば、実施形態のハウジング１３及びベースプレート１４）と、を備え、前記リテーナに、前記リヤウィンドウガラスの上縁の車体ルーフ側の部材（例えば、実施形態のドアインナパネル２Ａ）に固定される固定部（例えば、実施形態の上部壁１６）と、前記リヤウィンドウガラスの前面に当接する姿勢支持部（例えば、実施形態のスペーサ２１）と、が設けられていることを特徴とする。
【０００７】
請求項２に係る発明は、請求項１に係るリヤアンダーミラーにおいて、前記反射鏡は、略上下方向が凹面で略水平方向が凸面である凹凸面鏡によって構成されていることを特徴とする。
【０００８】
請求項３に係る発明は、請求項２に係るリヤアンダーミラーにおいて、前記反射鏡の凹面側の曲率半径は、当該反射鏡の上部側領域に比較して下部側領域が小さく設定されていることを特徴とする。
【０００９】
請求項４に係る発明は、請求項２または３に係るリヤアンダーミラーにおいて、前記反射鏡の凸面側の曲率半径は、当該反射鏡の上部側領域に比較して下部側領域が大きく設定されていることを特徴とする。
【００１０】
請求項５に係る発明は、請求項１〜４のいずれか１項に係るリヤアンダーミラーにおいて、前記姿勢支持部は、前記固定部での前記車体ルーフ側の部材に対する前記リテーナの固定力によって前記リヤウィンドウガラスの前面に圧接されていることを特徴とする。
【００１１】
請求項６に係る発明は、請求項１〜５のいずれか１項に係るリヤアンダーミラーにおいて、前記姿勢支持部は、弾性を有する軟質部材によって構成されていることを特徴とする。
【発明の効果】
【００１２】
請求項１に係る発明によれば、反射鏡を保持するリテーナが、リヤウィンドウガラスの上縁の車体ルーフ側の部材に固定部で固定される一方で、リヤウィンドウガラスの前面に姿勢支持部で当接するため、下縁側の前後方向の振動を抑制することができる。したがって、リヤウィンドウガラスの前面に下縁が間欠的に接触することによる振動騒音の発生を未然に防止することができる。
【００１３】
請求項２に係る発明によれば、リテーナに保持される反射鏡が、三次元的に複雑に湾曲する凹凸面鏡によって構成されるため、反射鏡の三次元的な湾曲によってリテーナの姿勢支持部の周囲の剛性を高めることができる。したがって、姿勢支持部が安定的にリヤウィンドウガラスに当接し、反射鏡及びリテーナを常に安定姿勢に維持することが可能になる。
【００１４】
請求項３に係る発明によれば、反射鏡の下部側領域の凹面の曲率半径が上部側領域の凹面の曲率半径よりも小さく設定され、反射鏡の剛性が下部側に向かって次第に高くなっているため、リテーナの姿勢支持部の周囲の剛性をより有利に高めることができる。
また、反射鏡の下部側領域がリヤウィンドウガラスの面に対してより平行に近くなっているため、反射鏡の下部側領域で姿勢支持部の近傍を安定的に支持することが可能になる。
【００１５】
請求項４に係る発明によれば、反射鏡の下部側領域の凸面の曲率半径が上部側領域の凸面の曲率半径よりも大きく設定され、反射鏡の下部側領域がより平坦に近くなっているため、反射鏡の下部側領域で姿勢支持部の近傍を安定的に支持することが可能になる。
【００１６】
請求項５に係る発明によれば、固定部でのリテーナの固定力によって姿勢支持部がリヤウィンドウガラスに圧接されるため、車両走行時における下縁側の前後方向の振動をより有効に抑制することができる。
【００１７】
請求項６に係る発明によれば、姿勢支持部が弾性を有する軟質部材によって構成されることから、姿勢支持部をリヤウィンドウガラスに圧接することによってリテーナ側が受ける反力を適切に制限することができるとともに、下縁部に入力された振動を軟質部材の特性によって減衰することができる。
【図面の簡単な説明】
【００１８】
【図１】この発明の一実施形態のリヤアンダーミラーを採用した車両の後部側の側面図である。
【図２】この発明の一実施形態のリヤアンダーミラーを採用した車両の室内後部の正面図である。
【図３】この発明の一実施形態のリヤアンダーミラーの斜視図である。
【図４】この発明の一実施形態のリヤアンダーミラーの取付状態を示す図２のＡ−Ａ断面に対応する断面図である。
【図５】この発明の一実施形態のリヤアンダーミラーの取付状態を示す図２のＡ−Ａ断面に対応する断面図である。
【発明を実施するための形態】
【００１９】
以下、この発明の一実施形態を図面に基づいて説明する。
図１は、跳ね上げ式のバックドア２（テールゲート）を備えたワンボックスタイプの車両１の後部側の側面を示す図である。同図中３は、バックドア２の上部に設けられたリヤウィンドウであり、４は、車両のルーフパネル、５は、後部側のサイドドア、Ｗｒは、後輪である。なお、リヤウィンドウ３にはリヤウィンドウガラス６が取り付けられている。
【００２０】
図２は、バックドア２を車室内側から見た図であり、同図中７は、車室内の天井部であり、８は、バックドア２が開閉される車体側のドア開口部、１１は、車室内の天井部７に設置された室内灯である。
バックドア２は、ルーフパネル４の左右の側縁の後端部に図示しないドアヒンジを介して回動自在に取り付けられている。バックドア２は、車幅方向の中央部が最も外側（車体後方側）に突出するように外側に湾曲するとともに、上端部がルーフパネル４と滑らかに連続するように上縁部が前部上方に向かって湾曲している。リヤウィンドウ３（リヤウィンドウガラス６）の上辺に隣接するバックドア２の車室内側の上縁部には、車室内の乗員に向けて車両１の後部下方（図１中のＢの領域）を映すリヤアンダーミラー１０が設置されている。リヤアンダーミラー１０は、バックドア２の車幅方向の中央位置（車両１の車幅方向中央位置）に取り付けられている。
【００２１】
図３は、リヤアンダーミラー１０の斜視図であり、図４，図５は、バックドア２に対するリヤアンダーミラー１０の取付状態を示す断面図である。
リヤアンダーミラー１０は、図３〜図５に示すように、リヤウィンドウガラス６を通して車体の後部下方を映す反射鏡１２と、この反射鏡１２を直接保持する樹脂製のハウジング１３と、バックドア２の上縁部に直接締結固定され、最終的にハウジング１３がビス止め等によって取り付けられるベースプレート１４と、を備えている。なお、この実施形態においては、ハウジング１３とベースプレート１４がリテーナを構成している。また、この実施形態の場合、リヤアンダーミラー１０には、ハイマウントストップランプ９のユニットが一体に組み込まれており、ハイマウントストップランプ９は、灯体面がリヤウィンドウガラス６の車室内側面に臨むようにベースプレート１４に取り付けられている。
【００２２】
反射鏡１２は、略上下方向が凹面で略水平方向が凸面の凹凸面鏡によって構成されている。この実施形態の場合、反射鏡１２の鏡面は、三次元的に湾曲した凹凸面を、下辺側が上辺側よりも長い略台形状に打ち抜いた形状とされている。そして、反射鏡１２は、バックドア２が閉じている状態で、鏡面の下端側が車体の後部下方側に傾くようにベースプレート１４とハウジング１３を介してバックドア２に設置されている。反射鏡１２は、このような設置により、運転席に着座した乗員（運転者）に車体の後部下方の広い範囲を正立鏡像として映すことができる。つまり、反射鏡１２では、凹凸面鏡の略水平方向の凸面によって車体の後部下方を車幅方向に広角度に映し、略上下方向の凹面によって鏡面に映る像を運転者にとって状況を把握し易い正立鏡像とする。
【００２３】
また、反射鏡１２の凹面側の曲率半径は上下方向で一定ではなく、上端側から下端側に向かって曲率半径が次第に小さく（曲げが強く）なるように設定されている。
また、反射鏡１２の凸面側の曲率半径も上下方向で一定ではなく、上端側から下端側に向かって曲率半径が次第に大きく（曲げが弱く）なるように設定されている。
【００２４】
図４，図５に示すように、ベースプレート１４は、リヤウィンドウガラス６の上縁のドアインナパネル２Ａ（バックドア２）の下面に重合される上部壁１６と、上部壁１６から下方に屈曲してリヤウィンドウガラス６の前面に沿うように延出する下方延出壁１７と、を備え、上部壁１６がボルト１８によってドアインナパネル２Ａに締結固定されるとともに、下方延出壁１７に、灯体面がリヤウィンドウガラス６に臨んで露出するようにハイマウントストップランプ９が取り付けられている。なお、同図中１９は、上部壁１６に設けられたボルト挿通孔であり、２０は、ドアインナパネル２Ａに設けられたウェルドナットである。
【００２５】
また、ベースプレート１４の下方延出壁１７のリヤウィンドウガラス６に臨む側の面には、ゴム状の弾性部材（弾性を有する軟質部材）からなるスペーサ２１が取り付けられている。スペーサ２１は、下方延出壁１７のハイマウントストップランプ９よりも下方の下端近傍に取り付けられ、リヤウィンドウガラス６の前面に対して密着状態で当接するようになっている。なお、この実施形態においては、ベースプレート１４の上部壁１６がリヤアンダーミラー１０の固定部を構成し、スペーサ２１がリヤアンダーミラー１０の姿勢支持部を構成している。また、この実施形態の場合、ドアインナパネル２Ａが、上部壁１６が固定される車体ルーフ側の部材を構成している。
【００２６】
リヤアンダーミラー１０は、ベースプレート１４が先にバックドア２に固定され、その後に反射鏡１２を保持するハウジング１３がベースプレート１４にビス止め等によって固定されるが、ベースプレート１４をバックドア２に固定するに際しては、上部壁１６をドアインナパネル２Ａの所定位置に重合し、その状態でボルト１８によってドアインナパネル２Ａに締結固定する。そして、このときボルト１８を締め込むと、下方延出壁１７上のスペーサ２１がリヤウィンドウパネル６の前面に圧接される。このとき、スペーサ２１はボルト１８の締め込みに応じて押し潰される。
【００２７】
以上のように、この実施形態のリヤアンダーミラー１０は、ハウジング１３を介して反射鏡１２を保持するベースプレート１４が上部壁１６でバックドア２のドアインナパネル２Ａに固定される一方で、下方延出壁１７に取り付けられた弾性を有するスペーサ２１でリヤウィンドウガラス６の前面に当接するため、高い支持剛性をもってドアインナパネル２Ａの上縁部に取り付けることができるとともに、ベースプレート１４（下方延出壁１７）とリヤウィンドウガラス２６との干渉を回避することができる。したがって、車両走行時の振動によってリヤアンダーミラー１０側の下縁部がリヤウィンドウガラス６の前面に間欠的に接触することがなく、振動騒音の発生を未然に防止することができる。
【００２８】
また、この実施形態のリヤアンダーミラー１０は、ハウジング１３に取り付けられる反射鏡１２が、三次元的に複雑に湾曲する凹凸面鏡によって構成されていることから、反射鏡１２の三次元的な湾曲形状によってハウジング１３の剛性を高めることができる。特に、この実施形態の場合、反射鏡１２がハウジング１３の後部下方側に延出して設けられているため、スペーサ２１の設置部の周域の剛性を効率良く高めることができる。
したがって、これによりスペーサ２１が安定的にリヤウィンドウガラス６の前面に当接し、反射鏡１２やハウジング１３を常に安定姿勢に維持することが可能になる。
【００２９】
さらに、この実施形態のリヤアンダーミラー１０においては、凹凸面鏡によって構成される反射鏡１２の凹面側に関しては、上端側から下端側に向かって曲率半径が次第に小さく（曲げが強く）なるように設定され、スペーサ２１の設置位置に近接するハウジング１３の下端領域の剛性を効率良く高めることができる。
また、このリヤアンダーミラー１０では、反射鏡１２の凹面側で上端側から下端側に向かって曲率半径が次第に小さくなり、反射鏡１２の下部側領域がリヤウィンドガラス２６の面に対して平行に近くなっているため、反射鏡１２の下部側領域でスペーサ２１の近傍を安定的に支持することができる。
【００３０】
また、この実施形態の場合、反射鏡１２の凸面側に関しては、上端側から下端側に向かって曲率半径が次第に大きくなるように設定され、反射鏡１２の下部側領域がより平坦に近くなっていることから、反射鏡１２の下部側領域でスペーサ２１の近傍を安定的に支持できるという利点がある。
【００３１】
また、このリヤアンダーミラー１０の場合、ドアインナーパネル２Ａに対するベースプレート１４のボルト締結によってサペーサ２１がリヤウィンドウガラス６の前面に圧接されるため、車両走行時における下縁側の前後方向の振動をより有効に抑制することができる。
また、スペーサ２１としては必ずしもゴム状の弾性部材を用いる必要はないが、この実施形態のようにスペーサ２１をゴム状の弾性部材によって構成した場合には、ハウジング１３や反射鏡１２が受ける反力をスペーサ２１で適切に制限することができるとともに、下方延出壁１７に入力された振動をスペーサ２１の材質によって有効に減衰することができる。
【００３２】
なお、この発明は上記の実施形態に限定されるものではなく、その要旨を逸脱しない範囲で種々の設計変更が可能である。
【符号の説明】
【００３３】
２Ａ…ドアインナパネル（車体ルーフ側の部材）
６…リヤウィンドウガラス
１０…リヤアンダーミラー
１２…反射鏡
１３…ハウジング（リテーナ）
１４…ベースプレート（リテーナ）
１６…上部壁（固定部）
２１…スペーサ（姿勢支持部）
【図１】
2011230631.tif 000003
【図２】
2011230631.tif 000004
【図３】
2011230631.tif 000005
【図４】
2011230631.tif 000006
【図５】
2011230631.tif 000007